(57)【要約】【課題】反射形発光ダイオードと導光板によって光を制御し、弱視者にとって必要な方向に強い光を照射でき、弱視者が遠くからでも容易に視認することができる発光点字ブロック及び導光板を提供することを課題とする。【解決手段】上表面に突部を有する点字ブロック内に、反射形発光ダイオードと点灯用回路５を内蔵し、反射形発光ダイオードからの光を外部に導く導光板３を装着して構成してある。また導光板の上端は、点字ブロックの上表面の突部より低い位置に装着して構成してある。また反射形発光ダイオードを内蔵し、発光ダイオードから発する光を屈折作用を利用して方向性を制御し、外部の視認者の目に入るように構成してある。【選択図】　図１
2004003163.tif 000002
【特許請求の範囲】
【請求項１】
上表面に突部を有する点字ブロック内に、反射形発光ダイオードと点灯用回路を内蔵し、反射形発光ダイオートからの光を外部に導く導光板を装着して構成したことを特徴とする発光点字ブロック。
【請求項２】
導光板の上端は、点字ブロックの上表面の突部より低い位置に装着して構成したことを特徴とする請求項１記載の発光点字ブロック。
【請求項３】
反射形発光ダイオードと点灯用回路を内蔵し、反射形発光ダイオードからの光を外部に導く導光板を点字ブロックの上表面の突部と突部の間に位置して配置したことを特徴とする請求項１及び請求項２記載の発光点字ブロック。
【請求項４】
反射形発光ダイオードを内蔵し、発光ダイオードから発する光を屈折作用を利用して方向性を制御し、外部の視認者の目に光が入るように構成したことを特徴とする導光板。
【発明の詳細な説明】
【０００１】
【発明の属する技術分野】
本発明は発光点字ブロック及び導光板の改良に関し、特に視覚障害者のうち、特に全盲ではない弱視者が、安全に歩行できるように支援する装置に関するものである。
【０００２】
【従来の技術】
従来の発光点字ブロックとしては、点字ブロックの表面やその突起部に砲弾形の発光ダイオードを内蔵し、発光ダイオードの光を特に制御せずに外部に照射しているものがある。
【０００３】
【発明が解決しようとする課題】
点字ブロックの問題点は、弱視者が点字ブロックの凹凸や色の対比を頼りに歩行する際に、夜間や薄暮時など周囲が暗い環境の場合、点字ブロックの見え方が低下し、安心して歩行できなくなることである。そのため点字ブロックに光源を内蔵することにより、視認性を向上させ弱視者の歩行を支援することができる。
【０００４】
しかし前記の発光点字ブロックは砲弾形発光ダイオードによる光の照射であり光が全方向に拡散するため、距離が離れていると弱視者にとって必要な光度が不足し、十分な視認性が得られない問題があった。
【０００５】
本発明は上記の点に鑑み発明したもので、反射形発光ダイオードと導光板により光を制御し、弱視者にとって必要な方向に強い光を照射することができ、弱視者が遠くからでも容易に視認できるように工夫した発光点字ブロック及び導光板を提供することを目的とする。
【０００６】
【課題を解決するための手段】
本発明は上記した課題を解決するために、請求項１に記載の発明は、上表面に突部を有する点字ブロック内に、反射形発光ダイオードと点灯用回路を内蔵し、反射形発光ダイオードからの光を外部に導く導光板を装着して構成してある。
【０００７】
請求項２に記載の発明は、請求項１に記載の発明における導光板の上端は、点字ブロックの上表面の突部より低い位置に装着して構成してある。
【０００８】
請求項３に記載の発明は、請求項１と請求項２に記載の発明において、反射形発光ダイオードと点灯用回路を内蔵し、反射形発光ダイオードからの光を外部に導く導光板を点字ブロックの上表面の突部と突部の間に位置して配置して構成してある。
【０００９】
請求項４に記載の発明は、反射形発光ダイオードを内蔵し、発光ダイオードから発する光を屈折作用を利用して方向性を制御して導光板を形成し、光が外部の視認者の目に容易に入るように構成してある。
【００１０】
上記した請求項１乃至請求項４に記載の発明によると、反射形発光ダイオードから発せられた指向性の強い光は、導光板の光屈折作用により、その内部で方向性が制御され、任意の方向に光を照射することができる。これにより発光点字ブロックから２５ｍはなれた距離でも弱視者にとって必要となる光度を提供することができ、視認性の確保が可能になる。
【００１１】
【発明の実施の形態】
以下本発明を図１乃至図８について説明する。図１は発光点字ブロックの実施例を示す平面図である。図２は図１の側面断面図である。図１において、１は線状ブロックであって、上表面に線状の突部２を同一間隔で平行に複数有して構成してある。３は線状ブロック１の内部に装着してなる導光板であって、例えば透光性のポリカーボネートを用いて構成してある。４は導光板３の内部に装着してなる反射形発光ダイオードである（例えば特開平２−２５１１８４）。反射形発光ダイオートは、例えば６個の反射形発光ダイオードを１組として基盤に配置して構成してある。５は各導光板３の内部に装着してなる点灯用回路である。
また図１と図２に示すように、複数の反射形発光ダイオード４と点灯用回路５を対称に配置して構成してある。
【００１２】
図３と図４は、点状ブロックの実施例を示す平面図と断面図である。図３と図４において、１１は点状ブロックであって、上表面に点状の突部１２を同一間隔で複数配置して構成してある。１３は点状ブロック１１の内部に装着してなる導光板であって、例えば透光性のポリカーボネートを用いて構成してある。また同導光板１３は図２に示すものと異なり１組の反射形発光ダイオード４と点灯用回路５を組み込んで構成してある。
【００１３】
なお、導光板の上端は、点字ブロックの上表面の突部より低い位置に装着して構成してある。その理由は弱視者が点字ブロックを足で踏んだり、杖でついたりいた場合に、違和感を感じないようにするためである。
【００１４】
また反射形発光ダイオードと点灯用回路を内蔵し、反射形発光ダイオードからの光を外部に導く導光板を点字ブロックの上表面の突部と突部の間に位置して配置して構成してある。その理由は弱視者が点字ブロックを足で踏んだり、杖でついたりいた場合に、違和感を感じないようにするためである。
【００１５】
図５は発光点字ブロックの設置例を示す。図５は発光ダイオードを内蔵した線状ブロック１と、発光ダイオードを内蔵した点状ブロック１１を路面などの十字路に設置する例であって、十字路の中心に点状ブロック１１を配置し、点状ブロック１１の外側に所望の長さで線状ブロック１を配置して構成してある。このように構成すると、線状ブロック１により弱視者の直進誘導を行い、点状ブロック１１により十字路としての注意喚起を促す。また同構造の発光点字ブロックによると、内蔵された発光ダイオードにより夜間あるいは薄暮時に視認性は向上し、より安全に弱視者が歩行することができる。
【００１６】
図６は発光点字ブロックの他の実施例を示す。図６は点状ブロック１１を階段の直前に配置して構成してある。同構造によると、点状ブロックに内蔵された発光ダイオードにより、視認性を向上し安全性が増大する。
【００１７】
図７は発光点字ブロックの他の実施例を示す。図７は点状ブロック１１を駅のホーム付近に配置して構成してある。同構造によると、点状ブロックに内蔵された発光ダイオードにより、視認性を向上しホームへの転落を防止することができる。
【００１８】
図８は発光点字ブロックの実施例を示す。図８は発光ダイオードを内蔵した線状ブロック１と、発光ダイオードを内蔵した点状ブロック１１を横断歩道付近に設置する例である。このように構成すると、線状ブロック１により弱視者の直進誘導を行い、点状ブロック１１によりＴ字路としての注意喚起を促す。また同構造の発光点字ブロックによると、内蔵された発光ダイオードにより夜間あるいは薄暮時に視認性は向上し、より安全に弱視者が歩行することができる。
【００１９】
また導光板を図２に示すように、断面において傾斜面を有して左右対称に構成し、内部空間に反射形発光ダイオードを内蔵すると、発光ダイオードから発する光を屈折して方向性を制御することができる。例えば、５．０ｍ離れた位置から１．５ｍの高さにおいて発光ダイオードから発する光が効率よく視認し得るように構成する。図２に示すように、複数の反射形発光ダイオードを対称に配置して構成すると、左右いずれの方向からも発光ダイオードから発する光を視認することができる。
また導光板を図４に示すように、導光板１３の内部に、反射形発光ダイオードを一方方向から視認し得るように配置すると、一方通行の横断歩道等において利用価値が大きい。
【００２０】
【発明の効果】
上記した請求項１乃至請求項３に記載の発光点字ブロックによると、発光ダイオードを点灯するこによって、夜間や薄暮時など周囲が暗い環境においても点字ブロックを容易に視認できることができ、弱視者が安全に歩行することができる特別な効果がある。
さらに従来の砲弾型の発光ダイオード内蔵の点字ブロックと比較してより遠くからでもでも視認できるようになり、誘導効果が向上し、より安全な歩行を支援することができる特別な効果がある。
また発光ダイオードから発する光を屈折して方向性を制御することができるように導光板を構成すると、発光点字ブロックの使用条件によって、発光ダイオードから発する光の角度を変化させて視認性を高めて、誘導効果を向上し、より安全な歩行を支援することができる特別な効果がある。
【図面の簡単な説明】
【図１】本発明に係る線状点字ブロックの概略平面図。
【図２】図１に示す線状点字ブロックの概略側面図。
【図３】本発明に係る点状点字ブロックの概略平面図。
【図４】図３に示す点状点字ブロックの概略側面図。
【図５】本発明における十字路における概略設置例図。
【図６】本発明における階段における概略設置例図。
【図７】本発明における駅ホームでの概略設置例図。
【図８】本発明における横断歩道での概略設置例図。
【符号の説明】
１　線状ブロック
２　突部
３　導光板
４　反射形発光ダイオード
５　点灯用回路
１１　点状ブロック
１２　突部
１３　導光板
【図１】
2004003163.tif 000003
【図２】
2004003163.tif 000004
【図３】
2004003163.tif 000005
【図４】
2004003163.tif 000006
【図５】
2004003163.tif 000007
【図６】
2004003163.tif 000008
【図７】
2004003163.tif 000009
【図８】
2004003163.tif 000010